(57)【要約】【課題】入浴しようとして浴槽に湯を張るようにスイッチを押せば同時に浴室の暖房が開始されるようにすること。【解決手段】熱源機リモコン１の自動スイッチ２０が自動スイッチ判定手段３１により押下されたことを検出すると、浴室暖房運転開始の指示信号が浴室暖房機通信手段６を介し浴室暖房機制御装置８に対して送信される。続いて浴室暖房機制御装置８からは浴室暖房機リモコン２に対し暖房運転開始の指示信号が出力され、浴室暖房機３の暖房運転を開始する。これによって使用者は、浴室暖房機リモコン２の操作をせずに熱源機リモコン１の自動スイッチ２０を操作するだけで、浴室暖房機３の暖房運転を開始することができる。【選択図】　図１
2004053065.tif 000002
【特許請求の範囲】
【請求項１】
給水口からの水を湯にする熱交換器と前記熱交換器からのに湯を浴槽に注湯する注湯電磁弁とを有する熱源機と、前記熱源機を操作する熱源機リモコンと、前記熱源機リモコン内に設けられた浴槽の湯張り用の自動スイッチと、前記熱源機リモコンと交信する熱源機リモコン通信手段と、浴室を暖房させる浴室暖房機と交信する浴室暖房機通信手段と、前記熱源機リモコンのスイッチ操作に連動し前記浴室暖房機通信手段に浴室暖房機の運転を指示する暖房運転連動手段と、前記熱源機リモコン通信手段により前記自動スイッチのオン、オフを判定する自動スイッチ判定手段を備えた制御装置。
【請求項２】
浴槽内の湯を加熱する熱交換器と、前記浴槽内の湯を循環させる循環ポンプと、熱源機リモコン内に設けられた浴湯追いだき用の追いだきスイッチと、熱源機リモコン通信手段により前記追いだきスイッチのオン、オフを判定する追いだきスイッチ判定手段を備えた請求項１記載の制御装置。
【請求項３】
熱源機リモコン内に設けられた浴槽に湯を加えるときの足し湯スイッチと、熱源機リモコン通信手段により前記足し湯スイッチのオン、オフを判定する足し湯スイッチ判定手段を備えた請求項１記載の制御装置。
【請求項４】
熱源機リモコン内に設けられた浴槽に水を加えるときのぬるめスイッチと、熱源機リモコン通信手段により前記ぬるめスイッチのオン、オフを判定するぬるめスイッチ判定手段を備えた請求項１記載の制御装置。
【請求項５】
浴槽内の水圧を配管を通して検出する水位センサーと、前記水位センサーにより浴槽に人が入ったことを検出する入浴検出手段を備えた請求項１記載の制御装置。
【請求項６】
自動スイッチにより湯張り時に浴槽内の湯を所定時間保温する保温手段と、保温の終了を判定する保温時間判定手段を備えた請求項２記載の制御装置。
【請求項７】
熱源機リモコン内に暖房運転連動手段を有効にするか否か切り換える暖房運転連動切換スイッチと、熱源機リモコン通信手段により前記暖房運転連動切換スイッチのオン、オフを判定する暖房運転連動切換スイッチ判定手段を備えた請求項１記載の制御装置。
【請求項８】
熱源機リモコン内に設けられ暖房運転連動時間を切り換える暖房運転連動時間切換スイッチと、熱源機リモコン通信手段により暖房運転連動時間の終了を判定する暖房運転連動時間判定手段を備えた請求項１記載の制御装置。
【請求項９】
外気温度を計測する外気温度センサーと、前記外気温センサーにより季節を判定する季節判定手段を備えた請求項１記載の制御装置。
【請求項１０】
水水温度を計測する入水温センサーと、前記入水温センサーにより季節を判定する季節判定手段を備えた請求項１記載の制御装置。
【請求項１１】
熱源機内に暖房運転連動手段を有効にするか否かを切り換える暖房運転連動切換手段を備えた請求項１記載の制御装置。
【発明の詳細な説明】
【０００１】
【発明の属する技術分野】
本発明は給湯機を制御する制御装置に関するものである。
【０００２】
【従来の技術】
従来、例えば、ガス給湯暖房機では、浴槽に湯を張る際には、熱源機リモコンの自動スイッチを押下し浴槽に湯張りをするとともに、浴室暖房機リモコンを押下し浴室の暖房を開始していた。
【０００３】
【発明が解決しようとする課題】
しかしながら、熱源機リモコンの自動スイッチと浴室暖房機リモコンスイッチが別々に存在しかつ、設置位置がまちまちであるため、自動スイッチは押下したが浴室暖房スイッチは押下するのを忘れることがあったり、２回操作が必要なため操作性がよくなく、使用者の手を煩わせるという課題があった。
【０００４】
本発明は、上記課題を解決するもので、自動湯り時や入浴中に使用するスイッチ操作あるいは、浴槽に人が入ったことを検出して使用者の手を煩わせることなく浴室の暖房を開始することを目的とする。
【０００５】
【課題を解決するための手段】
本発明は、給水からの水を湯に換える熱交換器と、前記熱交換器から浴槽に湯を注湯する注湯電磁弁と、前記熱交換器と注湯電磁弁を有する熱源機と、前記熱源機に人間が操作する指示を伝える熱源機リモコンと、前記熱源機リモコン内に浴槽に湯張りを指示する自動スイッチと、前記熱源機リモコンと通信を行う熱源機リモコン通信手段と、浴室を暖房させる浴室暖房機と通信する浴室暖房機通信手段と、前記熱源機リモコンのスイッチ操作に連動し前記浴室暖房機通信手段に浴室暖房機の運転を指示する暖房運転連動手段と、前記熱源機リモコン通信手段により自動スイッチのオン、オフ判定をおこなう自動スイッチ判定手段を備えたものである。
【０００６】
本発明によれば、自動湯り時や入浴中に使用する操作あるいは、浴槽に人が入ったことを検出して使用者の手を煩わせることなく浴室の暖房を開始することが出来る。
【０００７】
【発明の実施の形態】
本発明の第１の手段は、給水からの水を湯に換える熱交換器と、前記熱交換器から浴槽に湯を注湯する注湯電磁弁と、前記熱交換器と注湯電磁弁を有する熱源機と、前記熱源機に人間が操作する指示を伝える熱源機リモコンと、前記熱源機リモコン内に浴槽に湯張りを指示する自動スイッチと、前記熱源機リモコンと通信を行う熱源機リモコン通信手段と、浴室を暖房させる浴室暖房機と通信する浴室暖房機通信手段と、前記熱源機リモコンのスイッチ操作に連動し前記浴室暖房機通信手段に浴室暖房機の運転を指示する暖房運転連動手段と、前記熱源機リモコン通信手段により自動スイッチのオン、オフ判定をおこなう自動スイッチ判定手段を備えた制御装置である。
【０００８】
また、第２の手段は、前記第１の手段と浴槽内の湯を加熱する熱交換器と、前記浴槽内の湯を循環させる循環ポンプと、前記熱源機リモコン内に浴槽内の湯の加熱を指示する追いだきスイッチと、前記熱源機リモコン通信手段により追いだきスイッチのオン、オフ判定をおこなう追いだきスイッチ判定手段を備えた制御装置である。
【０００９】
また、第３の手段は、前記第１の手段と前記熱源機リモコン内に浴槽に所定の湯を加える指示する足し湯スイッチと、前記熱源機リモコン通信手段により足し湯スイッチのオン、オフ判定をおこなう足し湯スイッチ判定手段を備えた制御装置である。
【００１０】
また、第４の手段は、前記第１の手段と前記熱源機リモコン内に浴槽に所定の水を加えることを指示するぬるめスイッチと、前記熱源機リモコン通信手段によりぬるめスイッチのオン、オフ判定をおこなうぬるめスイッチ判定手段を備えた制御装置である。
【００１１】
また、第５の手段は、前記第１の手段と浴槽内の水圧を配管を通して検出する水位センサーと、前記水位センサーより浴槽に人が入ったことを検出する入浴検出手段を備えた制御装置である。
【００１２】
また、第６の手段は、前記第２の手段と前記自動スイッチにより湯張り時に浴槽内の湯を所定時間保温させる保温手段と、前記保温の終了を判定する保温時間判定手段を備えた制御装置である。
【００１３】
また、第７の手段は、前記第１の手段と前記熱源機リモコン内に前記暖房運転連動手段を有効にするか無効にするかを切り換える暖房運転連動切換スイッチと、前記熱源機リモコン通信手段により暖房運転連動切換スイッチのオン、オフ判定をおこなう暖房運転連動切換スイッチ判定手段を備えた制御装置である。
【００１４】
また、第８の手段は、前記第１の手段と前記熱源機リモコン内に前記暖房運転連動時間を切り換える暖房運転連動時間切換スイッチと、前記熱源機リモコン通信手段により暖房運転連動時間の終了を判定する暖房運転連動時間判定手段を備えた制御装置である。
【００１５】
また、第９の手段は、前記第１の手段と外気温度を取りこむ外気温センサーと、前記外気温センサーより季節を判定する季節判定手段を備えた制御装置である。
【００１６】
また、第１０の手段は、前記第１の手段と給水温度を取りこむ入水温度センサーと、前記入水温度センサーより季節を判定する季節判定手段を備えた制御装置である。
【００１７】
また、第１１の手段は、前記第１の手段と前記熱源機内に前記暖房運転連動手段を有効にするか無効にするかを切り換える暖房運転連動切換手段を備えた制御装置である。
【００１８】
【実施例】
以下、本発明の自動湯張りの制御装置の実施例について説明する。
【００１９】
（実施例１）
図１、図２は、本発明の一実施例としての給湯機の構成図である。また図３は、暖房運転連動手段のフローチャートである。１は熱源機リモコンで、熱源機と通信を行い自動湯張り、追いだき等の操作指示を行うものである。２は浴室暖房機リモコンで、浴室暖房機３と通信を行い暖房、換気の操作指示を行うものである。
【００２０】
３は浴室暖房機で浴室の暖房および換気を行うものである。４は熱源機制御手段で、熱源機リモコン通信手段５と浴室暖房機通信手段６と暖房運転連動手段７を有するものである。５は熱源機リモコン通信手段で、熱源機リモコン１との通信を行うものである。６は浴室暖房機通信手段で、浴室暖房機３との通信を行うものである。７は暖房運転連動手段であり、浴室暖房機が熱源機制御装置４と接続されている場合に、浴室暖房３を運転させるか、停止させるかの判断を行って、浴室暖房機通信手段６に指示する。８は浴室暖房機制御装置で浴室暖房機リモコン２との通信や熱源機９と通信し、暖房運転の指示を送信したり、熱源機９から暖房運転の指示を受信したりする。１０は給湯熱交換器で水を湯に換える。
【００２１】
また１１はふろ熱交換器で浴槽１９の湯を循環ポンプ１６を回転させることで、循環される湯を加熱し暖かい湯を浴槽１９に供給する。２０は自動スイッチで、熱源機リモコンから操作することで熱源機９は浴槽１９に湯張りを行こなう。２１は追いだきスイッチで、浴槽１９の湯がぬるい場合に熱源機リモコンから操作することで熱源機９は浴槽１９の湯を加熱させる。２２は足し湯スイッチで、浴槽１９の湯が少ない場合に熱源機リモコンから操作することで熱源機９は浴槽１９に所定量の湯を張る。２３はぬるめスイッチで、浴槽１９の湯があつい場合に熱源機リモコンから操作することで熱源機９は浴槽１９に所定量の水を張る。２４は暖房運転連動切換スイッチで自動スイッチ２０等をオンすることで浴室暖房機３を運転させる機能を有効にするのか無効にするのかを切り換えるスイッチである。
【００２２】
２５は暖房運転連動時間スイッチで、自動スイッチ２０等をオンすることで浴室暖房機３を運転開始後、次に浴室暖房運転を停止するまでの時間設定を行う。２８は入水温度検出手段で、入水温度センサーの値を暖房運転連動手段７に伝える。２９は吸気温度検出手段で、吸気温度センサーの値を暖房運転連動手段７に伝える。３０は人はいり検出手段で、水位センサー１３の変動を検出し、人間が浴槽１９に入ったかどうかの検出を行い暖房運転連動手段７に伝える。３１は自動スイッチ判定手段で、熱源機リモコン１の自動スイッチ２０のオン／オフの検出を行う共に、浴室暖房機３を運転させるか否かの判断を行う。３２は追いだきスイッチ判定手段で、熱源機リモコン１の追いだきスイッチ２１のオン／オフの検出を行う共に、浴室暖房機３を運転させるか否かの判断を行う。３３は足し湯スイッチ判定手段で、熱源機リモコン１の足し湯スイッチ２２のオン／オフの検出を行う共に、浴室暖房機３を運転させるか否かの判断を行う。
【００２３】
また３４はぬるめスイッチ判定手段で、熱源機リモコン１のぬるめスイッチ２３のオン／オフの検出を行う共に、浴室暖房機３を運転させるか否かの判断を行う。３５は暖房運転連動切換スイッチ判定手段で、暖房運転連動切換スイッチ２４のオン／オフにより浴室暖房機３を運転させるか否かの判断を行う。３６は暖房運転連動時間判定手段で、熱源機リモコン１の暖房運転連動時間スイッチ２５により設定した暖房運転連動時間、浴室暖房機３を運転開始後、運転停止させる時間の判断を行う。３７は保温時間判定手段で、自動スイッチにより浴槽１９に湯張りを行った後、所定時間浴槽１９内の湯を保温する、この所定時間経過時に浴室暖房機３を停止させる判断を行う。３８は暖房運転連動切換判定手段で、熱源機４内にあり自動スイッチ２０等をオンすることで浴室暖房機３を運転させる機能を有効にするのか無効にするのかを切り換えると共に、浴室暖房機３を運転させるか否かの判断を行う。
【００２４】
次に本発明の第１の手段の動作について説明する。熱源機リモコン１の自動スイッチ２０をオンすると浴槽１９へ湯張りを開始する。この際、自動スイッチ判定手段３１により自動スイッチ２０がオンされたことを検出すると、暖房運転連動手段７が浴室暖房機３が接続されていると認識している場合に、浴室暖房運転開始の指示を浴室暖房機通信手段６を介して浴室暖房機制御装置８に通信する。
【００２５】
浴室暖房機制御装置８は浴室暖房機リモコン２に暖房運転開始の指示を出し、浴室暖房機３の暖房運転を開始させる。このようにすることで使用者は、浴室暖房機リモコン２の操作をせずに熱源機リモコン１の自動スイッチ２０を操作するだけで、浴室暖房機３の暖房運転を開始することができる。
【００２６】
第２の手段では、熱源機リモコン１の追いだきスイッチ２１をオンすると循環ポンプ１６を回転させ、浴槽１９内の湯を循環するとともに、ふろ熱交換器１１により加熱した湯を浴槽１９へ供給する。この際、追いだきスイッチ判定手段３２により追いだきスイッチ２１がオンされたことを検出すると、暖房運転連動手段７が浴室暖房機３が接続されていると認識している場合に、浴室暖房運転開始の指示を浴室暖房機リモコン通信手段６を介して浴室暖房機制御装置８に通信する。浴室暖房機制御装置８は浴室暖房機リモコン２に暖房運転開始の指示を出し、浴室暖房機３の暖房運転を開始させる。このようにすることで使用者は、浴室暖房機リモコン２の操作をせずに熱源機リモコン１の追いだきスイッチ２１を操作するだけで、浴室暖房機３の暖房運転を開始することができる。
【００２７】
第３の手段では、熱源機リモコン１の足し湯スイッチ２２をオンすると浴槽１９へ所定湯量の湯張りを開始する。この際、足し湯スイッチ判定手段３３により足し湯スイッチ２２がオンされたことを検出すると、暖房運転連動手段７が浴室暖房機３が接続されていると認識している場合に、浴室暖房運転開始の指示を浴室暖房機リモコン通信手段６を介して浴室暖房機制御装置８に通信する。浴室暖房機制御装置８は浴室暖房機リモコン２に暖房運転開始の指示を出し、浴室暖房機３の暖房運転を開始させる。このようにすることで使用者は、浴室暖房機リモコン２の操作をせずに熱源機リモコン１の足し湯スイッチ２２を操作するだけで、浴室暖房機３の暖房運転を開始することができる。
【００２８】
第４の手段では、熱源機リモコン１のぬるめスイッチ２３をオンすると浴槽１９へ所定湯量の水張りを開始する。この際、ぬるめスイッチ判定手段３４によりぬるめスイッチ２３がオンされたことを検出すると、暖房運転連動手段７が浴室暖房機３が接続されていると認識している場合に、浴室暖房運転開始の指示を浴室暖房機リモコン通信手段６を介して浴室暖房機制御装置８に通信する。浴室暖房機制御装置８は浴室暖房機リモコン２に暖房運転開始の指示を出し、浴室暖房機３の暖房運転を開始させる。このようにすることで使用者は、浴室暖房機リモコン２の操作をせずに熱源機リモコン１のぬるめスイッチ２３を操作するだけで、浴室暖房機３の暖房運転を開始することができる。
【００２９】
第５の手段では、浴槽１９に湯張りが完了している状態で、人間が入浴すると、水位センサー１３からの信号を人はいり検出手段３０が検出すると、暖房運転連動手段７が浴室暖房機３が接続されていると認識している場合に、浴室暖房運転開始の指示を浴室暖房機通信手段６を介して浴室暖房機制御装置８に通信する。浴室暖房機制御装置８は浴室暖房機リモコン２に暖房運転開始の指示を出し、浴室暖房機３の暖房運転を開始させる。このようにすることで使用者は、浴室暖房機リモコン２の操作をせずに、浴室暖房機３の暖房運転を開始することができる。
【００３０】
第６の手段では、自動スイッチ２０の操作により浴槽１９に湯張りが完了すると、熱源機リモコン１の設定温度に浴槽１９の温度を保温しておく。保温する時間は、熱源機リモコン１により設定できる（例えば、０、１、２、３、４、６、７、８時間）。前記手段により浴室暖房機３の暖房運転を開始させた場合には、保温時間判定手段３７が保温時間の経過を検出すると、暖房運転連動手段７が浴室暖房機３が接続されていると認識している場合に、浴室暖房運転停止の指示を浴室暖房機リモコン通信手段６を介して浴室暖房機制御装置８に通信する。浴室暖房機制御装置８は浴室暖房機リモコン２に暖房運転停止の指示を出し、浴室暖房機３の暖房運転を停止させる。このようにすることで使用者は、浴室暖房機リモコン２の操作をせずに、浴室暖房機３の暖房運転を停止することができ、かつ使用者が浴室暖房機リモコン２を消し忘れた場合でもオフできるので経済的である。
【００３１】
第７の手段では、熱源機リモコン１の自動スイッチ２０のオンで浴室暖房機３の暖房運転を行う場合でも、夏季の場合には暖房運転連動させる必要はない。使用者が暖房運転連動が必要な場合に、熱源機リモコン１の暖房運転連動切換スイッチ３５により、暖房運転連動手段７が浴室暖房運転開始の指示を出すか否かの判断を行うことで、必要な時だけ浴室暖房機３の暖房運転連動を行うことができる。
【００３２】
第８の手段では、暖房運転連動手段７が浴室暖房機３が接続されていると認識し、浴室暖房運転開始の指示を出して浴室暖房機３の暖房運転をしている場合、熱源機リモコン１の暖房運転連動時間スイッチ２５が暖房運転連動させる時間を設定してあると、暖房運転連動時間判定手段３６により、暖房運転時間が設定時間の経過を検出すると、浴室暖房運転停止の指示を浴室暖房機リモコン通信手段６を介して浴室暖房機制御装置８に通信する。浴室暖房機制御装置８は浴室暖房機リモコン２に暖房運転停止の指示を出し、浴室暖房機３の暖房運転を停止させる。このようにすることで使用者は、浴室暖房機リモコン２の暖房オフ操作をせずに、浴室暖房機３の暖房運転を停止することができ、かつ使用者が浴室暖房機リモコン２を消し忘れた場合でもオフできるので経済的である。
【００３３】
第９の手段では、熱源機リモコン１の自動スイッチ２０のオンで浴室暖房機３の暖房運転を行う場合でも、夏季の場合には暖房運転連動させる必要はない。したがって冬季か否かの判定を吸気温度検出手段２９により行い、暖房運転連動手段７が浴室暖房運転開始の指示を出すか否かの判断を行うことで、使用者の手を煩わせることなく必要な時だけ浴室暖房機３の暖房運転連動を行うことができる。
【００３４】
第１０の手段では、熱源機リモコン１の自動スイッチ２０のオンで浴室暖房機３の暖房運転を行う場合でも、夏季の場合には暖房運転連動させる必要はない。
【００３５】
したがって冬季か否かの判定を入水温度検出手段２９により行い、暖房運転連動手段７が浴室暖房運転開始の指示を出すか否かの判断を行うことで、使用者の手を煩わせることなく必要な時だけ浴室暖房機３の暖房運転連動を行うことができる。
【００３６】
第１１の手段では、熱源機リモコン１の自動スイッチ２０のオンで浴室暖房機３の暖房運転を行う場合でも、夏季の場合には暖房運転連動させる必要はない。
【００３７】
使用者が暖房運転連動が必要な場合に、熱源機９の暖房運転連動切換判定手段３８の切換を行うことにより、暖房運転連動手段７が浴室暖房運転開始の指示を出すか否かの判断を行うことで、必要な時だけ浴室暖房機３の暖房運転連動を行うことができる。
【００３８】
【発明の効果】
以上の説明から明らかなように、本発明による請求項１の制御装置は、使用者が浴室暖房機リモコンの操作をせずに熱源機リモコンの自動スイッチを操作するだけで、浴室暖房機の暖房運転を開始することができ、快適に入浴できる。
【００３９】
請求項２の制御装置では使用者が浴室暖房機リモコンの操作をせずに熱源機リモコンの追いだきスイッチを操作するだけで、浴室暖房機の暖房運転を開始することができ、快適に入浴できる。
【００４０】
請求項３の制御装置は、使用者が浴室暖房機リモコンの操作をせずに熱源機リモコンの足し湯スイッチを操作するだけで、浴室暖房機の暖房運転を開始することができ、快適に入浴できる。
【００４１】
請求項４の制御装置は、使用者が浴室暖房機リモコンの操作をせずに熱源機リモコンのぬるめスイッチを操作するだけで、浴室暖房機の暖房運転を開始することができ、快適に入浴できる。
【００４２】
請求項５の制御装置は、使用者が浴槽にはいるだけで浴室暖房機リモコンの操作をせずに、浴室暖房機の暖房運転を開始することができ、快適に入浴できる。
【００４３】
請求項６の制御装置は、使用者は、自動運転の保温が終了すると浴室暖房機リモコンの操作をせずに、浴室暖房機の暖房運転を停止することができ、かつ使用者が浴室暖房機リモコンを消し忘れた場合でもオフできるので経済的である。
【００４４】
請求項７の制御装置は、熱源機リモコンに暖房運転連動切換スイッチを設けることで、使用者が必要な時だけ浴室暖房機の暖房運転連動を行うことができる。
【００４５】
請求項８の制御装置は、使用者は、熱源機リモコンで暖房運転連動時間設定できることで、浴室暖房機リモコンの暖房オフ操作をせずに、所定時間経過すると浴室暖房機の暖房運転を停止することができ、かつ使用者が浴室暖房機リモコンを消し忘れた場合でもオフできるので経済的である。
【００４６】
請求項９の制御装置は、吸気温度センサーにより暖房運転連動をする季節を特定することで、使用者の手を煩わせることなく必要な時だけ浴室暖房機３の暖房運転連動を行うができる。
【００４７】
請求項１０の制御装置は、入水温度センサーにより暖房運転連動をする季節を特定することで、使用者の手を煩わせることなく必要な時だけ浴室暖房機３の暖房運転連動を行うことができる。
【００４８】
請求項１１の制御装置は、熱源機に暖房運転連動切換を設けることで、使用者が必要な時だけ浴室暖房機の暖房運転連動を行うことができる。
【図面の簡単な説明】
【図１】本発明の一実施例の給湯機の制御装置を示す構成図
【図２】同装置の制御に係る各構成要素をまとめて示したブロック構成図
【図３】同装置のフローチャート
【符号の説明】
１　熱源機リモコン
２　浴室暖房機リモコン
３　浴室暖房機
５　熱源機リモコン通信手段
６　浴室暖房機リモコン通信手段
７　暖房運転連動判定手段
８　浴室暖房機制御装置
１０　給湯熱交換器
１１　ふろ熱交換器
１２　注湯電磁弁
１３　水位センサー
１４　吸気温度センサー
１５　入水温度センサー
１６　循環ポンプ
２０　自動スイッチ
２１　追いだきスイッチ
２２　足し湯スイッチ
２３　ぬるめスイッチ
２４　暖房運転連動切換スイッチ
２５　暖房運転連動時間スイッチ
２８　入水温度検出手段
２９　吸気温度検出手段
３０　入浴検出手段
３１　自動スイッチ判定手段
３２　追いだきスイッチ判定手段
３３　足し湯スイッチ判定手段
３４　ぬるめスイッチ判定手段
３５　暖房運転連動切換スイッチ判定手段
３６　暖房運転連動時間判定手段
３７　保温時間判定手段
３８　暖房運転連動切換判定手段
【図１】
2004053065.tif 000003
【図２】
2004053065.tif 000004
【図３】
2004053065.tif 000005